(57)【特許請求の範囲】
【請求項１】
板状部材差込み部が設けられたハウジングと、
該ハウジングに配列配置されて設けられ、配線板状部材が上記ハウジングに上記板状部材差込み部を通じて差し込まれたとき、該配線板状部材における複数の接触端子部に接触接続される複数のコンタクトと、
上記ハウジングに対して移動可能に配され、上記板状部材差込み部を通じて上記ハウジングに差し込まれる上記配線板状部材と共に該配線板状部材の上記ハウジングへの差込み方向に沿って移動して該配線板状部材との係合連結状態をとる可動係合部材と、
上記ハウジングに回動変位可能に配され、上記配線板状部材との係合連結状態におかれた上記可動係合部材に対する係合係止を行う係止位置と上記可動係合部材に対する係合係止を解除する係止解除位置とを選択的にとり、上記係止位置をとるとき、上記配線板状部材に上記複数のコンタクトが上記複数の接触端子部に接触接続された状態を維持させ、上記係止解除位置をとるとき、上記可動係合部材を上記配線板状部材と共に該配線板状部材の上記ハウジングからの抜出し方向に沿って移動して該配線板状部材との係合連結状態を解除し得るものとなす係止部材と、
を備えて構成されるコネクタ装置。
【請求項２】
上記ハウジングが、上記可動係合部材の上記配線板状部材の上記ハウジングへの差込み方向に沿った移動及び上記配線板状部材の上記ハウジングからの抜出し方向に沿った移動を規制して上記可動係合部材の移動範囲を定める移動規制部が設けられたものとされることを特徴とする請求項１記載のコネクタ装置。
【請求項３】
上記可動係合部材が、上記ハウジング内に移動可能に配された本体部と、該本体部に設けられ、上記板状部材差込み部を通じて上記ハウジングに差し込まれた上記配線板状部材が当接する板状部材受部と、該板状部材受部に当接した上記配線板状部材に対する係止を行う状態と該係止を解除する状態とを選択的にとる可動係止部と、上記係止部材による係合係止を受ける係合受部と、を有していることを特徴とする請求項１記載のコネクタ装置。
【請求項４】
上記可動係止部が、上記本体部から伸びる可動腕状部分と該可動腕状部分に設けられて上記板状部材差込み部を通じて上記ハウジングに差し込まれた上記配線板状部材に係合する状態をとる係合突起部分とを有し、上記可動腕状部分が上記ハウジングの一部に係合して上記係合突起部分を伴って揺動変位することを特徴とする請求項３記載のコネクタ装置。
【請求項５】
上記可動係合部材が上記板状部材差込み部を通じて上記ハウジングに差し込まれる上記配線板状部材と共に該配線板状部材の上記ハウジングへの差込み方向に沿って移動するとき、上記可動腕状部分が上記ハウジングの一部に係合して上記係合突起部分を伴って揺動変位し、上記係合突起部分に上記配線板状部材との係合状態をとらせるものとされることを特徴とする請求項４記載のコネクタ装置。
【請求項６】
上記係止部材が、該係止部材に上記ハウジングに対する回動変位を生じさせる操作が加えられる操作部と、上記可動係合部材に設けられた係合受部に係合して上記可動係合部材を係止する状態をとる係合部とを有しており、該係合部が上記可動係合部材に設けられた係合受部に係合したもとで上記操作部に上記操作が加えられたとき、上記係合部が上記可動係合部材に設けられた係合受部との係合を解除するものとされることを特徴とする請求項１記載のコネクタ装置。
【請求項７】
上記ハウジングにおける上記複数のコンタクトの配列方向の両端部の夫々に、上記可動係合部材と上記係止部材との組が設けられることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるもとで、装着された配線板状部材に設けられた接触端子部に接触接続されるコンタクトと、装着された配線板状部材に係合してその配線板状部材に対する係止を行う状態と配線板状部材に対する係止を解除する状態とを選択的にとる係合係止手段と、を備えたコネクタ装置に関する。
【背景技術】
【０００２】
各種の電子機器に実装される比較的小型なフレキシブル印刷配線基板やフレキシブル平板状ケーブル等の配線板状部材は、種々の電気部品が取り付けられる主配線基板との連結が、当該主配線基板に電気的接続がなされて固定されるコネクタ装置が用いられて行われることが多いものとされる。このような配線板状部材の主配線基板との連結にあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル印刷配線基板とされる配線板状部材の主配線基板との連結に用いられる種々のコネクタ装置は、通常、配線板状部材が差し込まれる差込み部を形成するものとされて主配線基板に配される、例えば、絶縁材料によって形成されたハウジングを有している。そして、斯かるコネクタ装置は、そのハウジング内に配列配置されて設けられて主配線基板に設けられた配線端子に接続され、配線板状部材が差込み部を通じてハウジングに差し込まれたとき、その配線板状部材に設けられた複数の接触端子部に夫々対応するものとなる複数のコンタクトを備えており、さらには、ハウジングに対して回動可能に設けられたアクチュエータを備えたものとされることも少なくない。
【０００４】
従来のコネクタ装置に備えられるアクチュエータは、複数のコンタクトの夫々に係合し、回動せしめられるとき複数のコンタクトの夫々における作動部を変位させて、複数のコンタクトに、差込み部を通じてハウジングに差し込まれた配線板状部材に設けられた複数の接触端子部に夫々接触接続された状態、もしくは、複数の接触端子部との接触接続から解放された状態をとらせるもの、または、差込み部を通じてハウジングに差し込まれた配線板状部材に当接し、回動せしめられるとき、配線板状部材を押圧して当該配線板状部材に設けられた複数の接触端子部を複数のコンタクトに夫々接触接続された状態におく、もしくは、配線板状部材に対する押圧を解除して当該配線板状部材に設けられた複数の接触端子部を複数のコンタクトとの接触接続から解放された状態におくものとされる。そして、複数のコンタクトと配線板状部材に設けられた複数の接触端子部とが相互接触接続されることにより、配線板状部材が主配線基板との電気的連結状態におかれる。
【０００５】
このような従来提案されているコネクタ装置にあっては、ハウジングに対して回動可能に設けられるアクチュエータを備えたもとにおいて、例えば、フレキシブル印刷配線基板とされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的連結状態におかれるにあたり、配線板状部材がハウジングから不所望に抜脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、ハウジングを有し、複数のコンタクトとハウジングに対して回動可能とされるアクチュエータとを備えたコネクタ装置であって、ハウジングに差込み部を通じて差し込まれた配線板状部材に係合してそれを係止し、当該配線板状部材のハウジングからの不所望な抜脱の阻止に関与する係合係止手段を備えたものが従来提案されている（例えば、特許文献１及び特許文献２参照。）。
【０００７】
特許文献１に示されるコネクタ装置（回路基板用電気コネクタ）にあっては、ハウジング(40)における複数のコンタクト（端子(10;20))の配列方向の両端部に一対の金属部材 (ロック金具(30)) が夫々取り付けられており、各金属部材には、ハウジングに差込み部（受入空間（挿入溝)(45))を通じて差し込まれた配線板状部材（平型導体(F))における係合部（被係止部(F2)) に係合して配線板状部材を係止する状態をとる係合係止手段（上腕部(31)及びロック部(35)) が形成されている。また、ハウジングに対して回動可能に設けられたアクチュエータ（可動部材(60)) が、金属部材に係合するものとされている。
【０００８】
そして、配線板状部材がハウジングに差し込まれたもとで、アクチュエータがハウジングに対して起き上がった位置からハウジングに対して伏した位置へと回動せしめられたとき、アクチュエータに設けられたカム部(65)の作用によって、金属部材に形成された係合係止手段が、ハウジングに差し込まれた配線板状部材に向けて変位せしめられ、その配線板状部材における係合部に係合する状態をとる。それにより、ハウジングに差し込まれた配線板状部材が、係合係止手段によって係止され、ハウジングからの不所望な抜脱が阻止されるものとされる。
【０００９】
その後、アクチュエータが、ハウジングに対して伏した位置からハウジングに対して起き上がった位置へと回動されるときには、アクチュエータに設けられたカム部の作用によって、金属部材に形成された係合係止手段が、ハウジングに差し込まれた配線板状部材から離脱する方向に変位せしめられ、配線板状部材との係合を解除する。それにより、ハウジングに差し込まれた配線板状部材が、係合係止手段により係止された状態から解放され、ハウジングから抜脱され得る状態におかれる。
【００１０】
また、特許文献２にも、上述の特許文献１に示されるものと同様な、ハウジング(40), 複数のコンタクト（端子(10;20))，アクチュエータ（可動部材(60)) 、及び、配線板状部材（平型導体（F)) に対する係合係止手段（上腕部(31)及びロック部(35)) が形成され金属部材 (ロック金具(30)) を備えたコネクタ装置（回路基板用電気コネクタ）が開示されている。
【先行技術文献】
【特許文献】
【００１１】
【特許文献１】特開２０１１−１８１２０６号公報（段落００３３，００４９〜００５４，図３，８，９，１２）
【特許文献２】特開２０１１−１８１２０７号公報（段落００２８，００４４〜００４９，図３，８，９，１２）
【発明の概要】
【発明が解決しようとする課題】
【００１２】
上述のような、ハウジングに差し込まれたフレキシブル印刷配線基板等の配線板状部材のハウジングからの不所望な抜脱の阻止に関与する係合係止手段を備えた、配線板状部材の主配線基板との連結に用いられるコネクタ装置として従来提案されているものにあっては、係合係止手段によるハウジングに差し込まれた配線板状部材に対する係止状態が、ハウジングに対して回動可能とされたアクチュエータの回動操作に連動してとられることになり、斯かるアクチュエータの回動操作は、配線板状部材がハウジングに差し込まれた後に行われるものとされる。従って、ハウジングに差し込まれた配線板状部材を、係合係止手段によって係止されて、ハウジングからの不所望な抜脱が阻止される状態のもとにおくにあたっては、先ず、配線板状部材をハウジングに差し込み、次に、ハウジングに対して回動可能とされたアクチュエータを回動させる、という二段階の操作が必要とされることになる。
【００１３】
このような二段階の操作が必要とされるということは、コネクタ装置の主配線基板への実装状態や主配線基板におけるコネクタ装置の周囲の電子部品の実装状態等によっては、作業性が良くない煩わしい操作を行わなければならないという不都合がもたらされ、さらには、それゆえ二段階の操作が不確実なものとなってしまう虞もある。
【００１４】
斯かる点に鑑み、本願の特許請求の範囲に記載された発明は、フレキシブル印刷配線基板やフレキシブル平板状ケーブル等とされる配線板状部材の他の配線基板との連結に用いられる、板状部材差込み部が設けられたハウジングとハウジングに配列配置されて設けられる複数のコンタクトと配線板状部材に対する係止及び係止解除を行う係合係止手段とを備えたコネクタ装置であって、係合係止手段によりハウジングに差し込まれた配線板状部材のハウジングからの不所望な抜脱が阻止される状態を、先ず配線板状部材をハウジングに差し込み、次にハウジングに対して回動可能とされたアクチュエータを回動させるという二段階の操作を必要とすることなく、配線板状部材をハウジングに差し込むだけの操作をもって、確実に得ることができ、さらには、係合係止手段に簡単で容易な操作を加えることにより、ハウジングに差し込まれた配線板状部材をハウジングから適正に抜脱され得る状態におくことが可能とされるものを提供する。
【課題を解決するための手段】
【００１５】
本願の特許請求の範囲における請求項１から請求項７までのいずれかに記載された発明（以下、本発明という。）に係るコネクタ装置は、板状部材差込み部が設けられたハウジングと、ハウジングに配列配置されて設けられ、配線板状部材がハウジングに板状部材差込み部を通じて差し込まれたとき、その配線板状部材における複数の接触端子部に接触接続される複数のコンタクトと、ハウジングに対して移動可能に配され、板状部材差込み部を通じてハウジングに差し込まれる配線板状部材と共に配線板状部材のハウジングへの差込み方向に沿って移動してその配線板状部材との係合連結状態をとる可動係合部材と、ハウジングに回動変位可能に配され、配線板状部材との係合連結状態におかれた可動係合部材に対する係合係止を行う係止位置と可動係合部材に対する係合係止を解除する係止解除位置とを選択的にとる係止部材と、を備えて構成される。そして、係止部材は、係止位置をとるとき、配線板状部材に複数のコンタクトが複数の接触端子部に接触接続された状態を維持させ、係止解除位置をとるとき、可動係合部材を配線板状部材と共に配線板状部材のハウジングからの抜出し方向に沿って移動してその配線板状部材との係合連結状態を解除し得るものとなすものとされる。斯かるもとで、可動係合部材と係止部材とは、配線板状部材に対する係合係止手段を形成している。
【００１６】
特に、本願の特許請求の範囲における請求項６に記載された本発明に係るコネクタ装置にあっては、係止部材が、当該係止部材にハウジングに対する回動変位を生じさせる操作が加えられる操作部と、可動係合部材に設けられた係合受部に係合して可動係合部材を係止する状態をとる係合部とを有しており、係合部が可動係合部材に設けられた係合受部に係合したもとで操作部に上述の操作が加えられたとき、係合部が可動係合部材に設けられた係合受部との係合を解除するものとされる。
【００１７】
上述のような本発明に係るコネクタ装置にあっては、配線板状部材がハウジングにそれに設けられた板状部材差込み部を通じて差し込まれると、ハウジングに配列配置された複数のコンタクトが、差し込まれた配線板状部材における複数の接触端子部に接触接続され、それに加えて、ハウジングに対して移動可能に配された可動係合部材が配線板状部材と共に配線板状部材のハウジングへの差込み方向に沿って移動して配線板状部材との係合連結状態をとるとともに、ハウジングに回動変位可能に配された係止部材が、配線板状部材との係合連結状態におかれた可動係合部材に対する係合係止を行う係止位置をとる。それにより、ハウジングに差し込まれた配線板状部材が、係合係止手段を形成する可動係合部材と係止部材とによって係止され、ハウジングからの不所望な抜脱が阻止される状態におかれる。
【００１８】
また、配線板状部材が係合係止手段を形成する可動係合部材と係止部材とによって係止されたもとで、係止部材が可動係合部材に対する係合係止を解除する係止解除状態をとり、それにより、可動係合部材が配線板状部材と共に配線板状部材のハウジングからの抜出し方向に沿って移動して配線板状部材との係合連結状態を解除し得るものとされる。その結果、配線板状部材が、可動係合部材と係止部材とによる係止から解放されて、ハウジングから適正に抜脱され得る状態におかれる。
【００１９】
斯かるもとで、係止部材は、例えば、本願の特許請求の範囲における請求項６に記載された本発明に係るコネクタ装置の場合のように、係止部材にハウジングに対する回動変位を生じさせる操作が加えられる操作部と、可動係合部材に設けられた係合受部に係合して可動係合部材を係止する状態をとる係合部とを有したものとされる。そして、係合部が可動係合部材に設けられた係合受部に係合したもとで操作部に上述の操作が加えられたとき、係合部が可動係合部材に設けられた係合受部との係合を解除する。
【発明の効果】
【００２０】
本発明に係るコネクタ装置によれば、上述のように、ハウジングにそれに設けられた板状部材差込み部を通じて差し込まれた配線板状部材が、係合係止手段を形成する可動係合部材と係止部材とによって係止され、ハウジングからの不所望な抜脱が阻止される状態を、例えば、先ず配線板状部材をハウジングに差し込み、次にハウジングに対して回動可能とされたアクチュエータを回動させるというような二段階の操作を必要とすることなく、配線板状部材をハウジングに差し込むだけの操作をもって、確実に得ることができる。その際、可動係合部材が、ハウジングに差し込まれる配線板状部材と共に配線板状部材のハウジングへの差込み方向に沿って移動して配線板状部材との係合連結状態を自動的にとるとともに、係止部材が、ハウジングに対して回動変位して、配線板状部材との係合連結状態におかれた可動係合部材に対する係合係止を行う係止位置を自動的にとるので、可動係合部材と係止部材とによる配線板状部材に対する係止が、極めて容易かつ円滑に行われる。
【００２１】
また、係合係止手段を形成する可動係合部材と係止部材とによる配線板状部材に対する係止を解除して、配線板状部材をハウジングから抜脱され得るものとするにあたっては、例えば、本願の特許請求の範囲における請求項６に記載された本発明に係るコネクタ装置の場合のように、係止部材にハウジングに対する回動変位を生じさせる操作を加えるだけで、係止部材に可動係合部材との係合係止を解除させて、可動係合部材を配線板状部材と共に配線板状部材のハウジングからの抜出し方向に沿って移動して配線板状部材との係合連結状態を解除するものとなすことができる。従って、係合係止手段に簡単で容易な操作を加えることにより、ハウジングに差し込まれた配線板状部材をハウジングから適正に抜脱され得る状態におくことができることになる。
【図面の簡単な説明】
【００２２】
【図１】本発明に係るコネクタ装置の一例をそれに装着されるフレキシブル印刷配線基板と共に示す斜視図である。
【図２】本発明に係るコネクタ装置の一例をそれに装着されるフレキシブル印刷配線基板と共に示す平面図である。
【図３】本発明に係るコネクタ装置の一例を示す平面図である。
【図４】本発明に係るコネクタ装置の一例を示す正面図である。
【図５】本発明に係るコネクタ装置の一例を示す底面図である。
【図６】本発明に係るコネクタ装置の一例を示す背面図である。
【図７】本発明に係るコネクタ装置の一例を示す側面図である。
【図８】図４におけるVIII−VIII線断面を示す断面図である。
【図９】本発明に係るコネクタ装置の一例が備える可動係合部材を単体で示す斜視図である。
【図１０】本発明に係るコネクタ装置の一例が備える係止部材を単体で示す斜視図である。
【図１１】本発明に係るコネクタ装置の一例が備える係止部材を単体で示す斜視図である。
【図１２】本発明に係るコネクタ装置の一例が備えるハウジングにフレキシブル印刷配線基板が差し込まれる直前の状態を示す断面図である。
【図１３】本発明に係るコネクタ装置の一例が備えるハウジングにフレキシブル印刷配線基板が差し込まれ、本発明に係るコネクタ装置の一例が備える可動係合部材がフレキシブル印刷配線基板との係合連結状態をとった状態を示す断面図である。
【図１４】本発明に係るコネクタ装置の一例が備えるハウジングへのフレキシブル印刷配線基板の差込みが完了し、本発明に係るコネクタ装置の一例が備える係止部材が可動係合部材を係止した状態を示す断面図である。
【図１５】本発明に係るコネクタ装置の一例が備えるハウジングにフレキシブル印刷配線基板が差し込まれ、本発明に係るコネクタ装置の一例が備えるコンタクトがフレキシブル印刷配線基板における接触端子部に接触接続された状態を示す断面図である。
【図１６】本発明に係るコネクタ装置の一例が備える係止部材が可動係合部材に対する係止を解除した状態を示す断面図である。
【発明を実施するための形態】
【００２３】
本発明を実施するための形態は、以下に述べられる本発明についての実施例をもって説明される。
【実施例】
【００２４】
図１（斜視図）及び図２（平面図）は、本発明に係るコネクタ装置の一例をそれに装着されるフレキシブル印刷配線基板と共に示し、図３（平面図），図４（正面図），図５（底面図），図６（背面図）及び図７（側面図）は、本発明に係るコネクタ装置の一例を示す。
【００２５】
図１〜図７において、本発明に係るコネクタ装置の一例を成すコネクタ装置１０は、合成樹脂等の絶縁材料によって形成されたハウジング１１を備えている。ハウジング１１には、その正面側端面部１１ａに板状部材差込み部１２が設けられており、板状部材差込み部１２からハウジング１１の内部へと板状部材収容空間が伸びている。
【００２６】
ハウジング１１は、例えば、図示されていない主配線基板に配され、それにより、コネクタ装置１０の全体が主配線基板に取り付けられたものとされる。その際、ハウジング１１における正面側端面部１１ａとそれに対向する背面側端面部１１ｂとに挟まれた一対の対向平板状部のうちの一方が主配線基板に対接する平板状部とされて他方がそれに対向する平板状部とされる。以下においては、主配線基板に対接するハウジングの一平板状部を下方平板状部１１ｃといい、それに対向するハウジングの他平板状部を上方平板状部１１ｄという。そして、正面側端面部１１ａに設けられた板状部材差込み部１２を通じて、例えば、フレキシブル印刷配線基板１３が、配線板状部材を成すものとして、ハウジング１１に差し込まれる。
【００２７】
ハウジング１１には、各々が弾性導電材料で形成された複数のコンタクト１４が、ハウジング１１の長手方向（以下、ハウジング長手方向という。）に沿って配列配置されて設けられている。複数のコンタクト１４は、配線板状部材を成すフレキシブル印刷配線基板１３に配列配置された複数の接触端子部１５に接触接続される信号用コンタクトとして設けられているが、他のフレキシブル印刷配線基板における複数の信号接続端子部及び接地接続部に接触接続される信号用及び接地用コンタクトとして用いられてもよい。
【００２８】
図２〜図７, 図４におけるVIII−VIII線断面をあらわす図８、及び、後述される図１５に示されるように、複数のコンタクト１４の夫々は、ハウジング１１の背面側端面部１１ｂ側においてハウジング１１に固定される固定部１６と、固定部１６からハウジング１１の内部へとハウジング１１の正面側端面部１１ａに向かって対を成して伸びる下方ビーム部１７及び上方ビーム部１８と、固定部１６からハウジング１１の背面側端面部１１ｂの外部へと伸びる接続端子部１９とを有している。
【００２９】
図８に示されるように、コンタクト１４の下方ビーム部１７は、ハウジング１１における下方平板状部１１ｃの内面側部分にハウジング長手方向に配列配置されて形成された複数の溝２０のうちの１つに配されている。複数の溝２０は、夫々がハウジング１１における正面側端面部１１ａ及び背面側端面部１１ｂの両者に直交する方向、即ち、フレキシブル印刷配線基板１３のハウジング１１への差し込み方向及びフレキシブル印刷配線基板１３のハウジング１１からの抜出し方向に沿って伸びるものとされた平行溝を成している。コンタクト１４の上方ビーム部１８は、その先端部分に接点部１８ａが形成されたものとされている。コンタクト１４の接続端子部１９は、ハウジング１１が配された主配線基板に設けられた配線端子に、例えば、半田付けにより接続される。そして、複数のコンタクト１４は、例えば、ハウジング１１の背面側端面部１１ｂ側から板状部材差込み部１２に向けてハウジング１１の内部へと押圧挿入される。
【００３０】
このようなもとで、ハウジング１１に板状部材差込み部１２を通じて差し込まれるフレキシブル印刷配線基板１３は、それにおける複数の接触端子部１５がハウジング１１に配列配置された複数のコンタクト１４に夫々対応する位置をとる状態におかれる。そして、複数のコンタクト１４の夫々における上方ビーム部１８の先端部分に形成された接点部１８ａが、ハウジング１１に差し込まれたフレキシブル印刷配線基板１３における複数の接触端子部１５のうちの対応するものに接触接続される。それにより、ハウジング１１に差し込まれたフレキシブル印刷配線基板１３における複数の接触端子部１５が、複数のコンタクト１４を介して、ハウジング１１が配された主配線基板に設けられた配線端子に連結される。
【００３１】
また、コネクタ装置１０は、各々がハウジング１１に対して移動可能に配され、フレキシブル印刷配線基板１３がハウジング１１に板状部材差込み部１２を通じて差し込まれたとき、そのフレキシブル印刷配線基板１３と共にフレキシブル印刷配線基板１３のハウジング１１への差込み方向に沿って移動してフレキシブル印刷配線基板１３との係合連結状態をとるものとされる一対の可動係合部材２１を備えている。斯かる一対の可動係合部材２１は、ハウジング１１における配列配置された複数のコンタクト１４を挟むハウジング長手方向の両端部に夫々設けられている。
【００３２】
さらに、コネクタ装置１０は、各々がハウジング１１に回動変位可能に配され、ハウジング１１に板状部材差込み部１２を通じて差し込まれたフレキシブル印刷配線基板１３との係合連結状態におかれた可動係合部材２１に対する係合係止を行う係止位置と可動係合部材２１に対する係合係止を解除する係止解除位置とを選択的にとるものとされる、一対の係止部材２２を備えている。斯かる一対の係止部材２２も、ハウジング１１における配列配置された複数のコンタクト１４を挟むハウジング長手方向の両端部に夫々設けられており、ハウジング１１におけるハウジング長手方向の両端部のうちの一方に設けられた一対の可動係合部材２１のうちの一方と一対の係止部材２２のうちの一方とが組を成し、また、ハウジング１１におけるハウジング長手方向の両端部のうちの他方に設けられた一対の可動係合部材２１のうちの他方と一対の係止部材２２のうちの他方とが別の組を成している。
【００３３】
一対の可動係合部材２１の夫々とそれに対応する一対の係止部材２２の夫々とは、フィレキシブル印刷配線基板に対する係合係止手段を形成している。
【００３４】
一対の可動係合部材２１の夫々は、図９に示されるように、ハウジング１１内に移動可能に配される本体部２３と、その本体部２３に設けられて、ハウジング１１に板状部材差込み部１２を通じて差し込まれたフレキシブル印刷配線基板１３がそれに当接する板状部材受部２４と、板状部材受部２４に当接したフレキシブル印刷配線基板１３に対する係止を行う状態とその係止を解除する状態とを選択的にとる可動係止部２５と、係止部材２２による係合係止を受ける係合受部２６とを有している。
【００３５】
可動係合部材２１における可動係止部２５は、本体部２３から伸びる可動腕状部分２７と、可動腕状部分２７に設けられてフレキシブル印刷配線基板１３に係合する状態をとる係合突起部分２８とを有しており、可動腕状部分２７をハウジング１１の上方平板状部１１ｄに形成された切欠き部２９を通じてハウジング１１の外部に臨ませる状態をとる。係合突起部分２８は、ハウジング１１に板状部材差込み部１２を通じて差し込まれたフレキシブル印刷配線基板１３に設けられた一対の切欠き係合部３０のうちの１つに係合する状態をとり、係合突起部分２８がフレキシブル印刷配線基板１３に設けられた切欠き係合部３０に係合するとき、可動係合部材２１における可動係止部２５がフレキシブル印刷配線基板１３に対する係止を行う状態におかれる。また、可動係合部材２１における係合受部２６は、その背面側端部に係止部材２２に当接係合する状態をとる傾斜面２６ａが形成されたものとされている。
【００３６】
図８に示されるように、一対の可動係合部材２１の夫々における本体部２３は、ハウジング１１における下方平板状部１１ｃの内面側部分にハウジング１１における正面側端面部１１ａ及び背面側端面部１１ｂの両者に直交する方向、即ち、フレキシブル印刷配線基板１３のハウジング１１への差し込み方向及びフレキシブル印刷配線基板１３のハウジング１１からの抜出し方向に伸びるものとして形成された溝３１に配されていて、溝３１に案内されて移動し得るものとされている。それにより、可動係合部材２１が、フレキシブル印刷配線基板１３のハウジング１１への差し込み方向に沿った移動及びフレキシブル印刷配線基板１３のハウジング１１からの抜出し方向に沿った移動を行うことができることになる。
【００３７】
ハウジング１１の下方平板状部１１ｃにおける溝３１の両端部を夫々形成する部分は、溝３１に配された可動係合部材２１の本体部２３のフレキシブル印刷配線基板１３のハウジング１１への差し込み方向に沿った移動を規制する移動規制部３２及び溝３１に配された可動係合部材２１の本体部２３のフレキシブル印刷配線基板１３のハウジング１１からの抜出し方向に沿った移動を規制する移動規制部３３を形成している。それにより、溝３１に配された可動係合部材２１の本体部２３は、移動規制部３２と移動規制部３３との間を溝３１に案内されて移動し得るものとされている。これら移動規制部３２及び３３は、溝３１に配された本体部２３を有した可動係合部材２１の、フレキシブル印刷配線基板１３のハウジング１１への差し込み方向に沿った移動及びフレキシブル印刷配線基板１３のハウジング１１からの抜出し方向に沿った移動を規制して、可動係合部材２１の移動範囲を定めていることになる。
【００３８】
一対の係止部材２２の夫々は、ハウジング１１の背面側端面部１１ｂ及び上方平板状部１１ｄの両方に亙って形成された切欠き部３５内に配されたものとされている。そして、一対の係止部材２２の夫々は、図１０及び図１１に示されるように、係止部材２２にハウジング１１に対する回動変位を生じさせる操作が加えられる平板状部を成す操作部３６と、可動係合部材２１に設けられた係合受け部２６に係合して可動係合部材２１を係止する状態をとる係合部３７とを有している。係合部３７には、可動係合部材２１における係合受部２６に形成された傾斜面２６ａが係合当接する状態をとる傾斜面３７ａが形成されている。
【００３９】
各係止部材２２の操作部３６には、ハウジング１１における切欠き部３５に設けられた一対の軸受孔に夫々挿入される一対の回動軸３８が、ハウジング長手方向に沿うことになる方向に突出するものとして設けられている。それにより、ハウジング１１の上方平板状部１１ｄに形成された切欠き部３５内において、ハウジング１１に回動変位可能に配された係止部材２２は、操作部３６に係止部材２２にハウジング１１に対する回動変位を生じさせる操作が加えられたときには、操作部３６に設けられてハウジング１１における切欠き部３５に設けられた一対の軸受孔に夫々挿入される一対の回動軸３８を回動中心として、ハウジング長手方向に直交する方向に回動せしめられて、係止位置と係止解除位置とを選択的にとる。
【００４０】
また、各係止部材２２の係合部３７は、係止部材２２が係止位置をとるとき、ハウジング１１に板状部材差込み部１２を通じて差し込まれたフレキシブル印刷配線基板１３との係合連結状態におかれた可動係合部材２１の係合受部２６に係合して当該可動係合部材２１を係止し、ハウジング１１に差し込まれたフレキシブル印刷配線基板１３に、それに配列配置された複数の接触端子部１５にハウジング１１に配列配置された複数のコンタクト１４が接触接続された状態を維持させ、また、係止部材２２が係止解除位置をとるとき、ハウジング１１に板状部材差込み部１２を通じて差し込まれたフレキシブル印刷配線基板１３との係合連結状態におかれた可動係合部材２１の係合受部２６との係合を解除して、可動係合部材２１を、フレキシブル印刷配線基板１３と共にそのハウジング１１からの抜出し方向に沿って移動してフレキシブル印刷配線基板１３との係合連結状態を解除し得るものとなす。
【００４１】
このようなもとで、フレキシブル印刷配線基板１３がハウジング１１に板状部材差込み部１２を通じて差し込まれるにあたっては、先ず、図１，図２及び図１２に示されるように、フレキシブル印刷配線基板１３における複数の接触端子部１５が配列配置された端子配列部分４０の先端縁部が、ハウジング１１の正面側端面部１１ａに設けられた板状部材差込み部１２に対向する位置に配される。そして、フレキシブル印刷配線基板１３は、その端子配列部分４０に配された複数の接触端子部１５がコネクタ装置１０のハウジング１１に配列配置された複数のコンタクト１４に夫々対応する位置をとる状態におかれる。
【００４２】
このとき、コネクタ装置１０のハウジング１１内における一対の可動係合部材２１の夫々は、一対の可動係合部材２１のうちの一方を示す図１２に示されるように、ハウジング１１の下方平板状部１１ｃの内面側部分に形成された溝３１に配された本体部２３が、その正面側端部を移動規制部３３に当接させて位置規制され、また、可動係止部２５が有する可動腕状部分２７及び係合突起部分２８が、ハウジング１１の上方平板状部１１ｄに形成された切欠き部２９内に位置するものとされている。
【００４３】
その後、フレキシブル印刷配線基板１３は、コネクタ装置１０のハウジング１１に、その正面側端面部１１ａに設けられた板状部材差込み部１２を通じて差し込まれる。その際には、フレキシブル印刷配線基板１３における端子配列部分４０の先端縁部が、ハウジング１１内の可動係合部材２１における板状部材受部２４に当接係合し、それにより、可動係合部材２１がハウジング１１に差し込まれるフレキシブル印刷配線基板１３と共にフレキシブル印刷配線基板１３の差込み方向に沿って移動する。斯かる可動係合部材２１の移動に伴い、可動係合部材２１における可動係止部２５が有する可動腕状部分２７が、ハウジング１１における上方平板状部１１ｄの内面側部分に当接し、係合突起部分２８と共に可動係合部材２１における本体部２３に近接する方向に揺動変位する。それにより、図１３に示されるように、可動係合部材２１における可動係止部２５が有する係合突起部分２８が、端子配列部分４０の先端縁部を可動係合部材２１における板状部材受部２４に当接係合させたフレキシブル印刷配線基板１３における切欠き係合部３０に係合する。
【００４４】
また、斯かる際、図１３に示されるように、可動係合部材２１における係合受部２６に形成された傾斜面２６ａが、係止部材２１における係合部３７に形成された傾斜面３７ａに係合当接し、フレキシブル印刷配線基板１３のハウジング１１への差込みに伴って傾斜面３７ａが設けられた係止部材２１の係合部３７をフレキシブル印刷配線基板１３の差込み方向に押圧する。それにより、係止部２１が、操作部３６に設けられてハウジング１１における切欠き部３５に設けられた一対の軸受孔に夫々挿入される一対の回動軸３８を回動中心として、係合部３７をハウジング１１の下方平板状部１１ｃから離隔させる方向に移動させるように回動せしめられる。
【００４５】
続いて、可動係合部材２１がハウジング１１に差し込まれるフレキシブル印刷配線基板１３と共にフレキシブル印刷配線基板１３の差込み方向に沿ってさらに移動し、その後、図１４に示されるように、可動係合部材２１の本体部２３が、その背面側端部をハウジング１１における移動規制部３２に当接させて位置規制される状態におかれる。このように、可動係合部材２１の本体部２３が移動規制部３２によって位置規制される状態がとられるとき、端子配列部分４０の先端縁部を可動係合部材２１における板状部材受部２４に当接係合させたフレキシブル印刷配線基板１３のハウジング１１への差込みが完了し、フレキシブル印刷配線基板１３がハウジング１１に対する予め定められた差込み位置をとるものとされる。
【００４６】
このとき、係止部材２２における係合部３７は、それに設けられた傾斜面３７ａに可動係合部材２１における係合受部２６に形成された傾斜面２６ａが当接係合した状態から、係合受部２６が係合部３７を通り過ぎた状態に移行して、可動係合部材２１における係合受部２６に係合する。それにより、係止部材２２が、ハウジング１１に板状部材差込み部１２を通じて差し込まれたフレキシブル印刷配線基板１３との係合連結状態におかれた可動係合部材２１に対する係合係止を行う係止位置をとるものとされ、ハウジング１１に板状部材差込み部１２を通じて差し込まれたフレキシブル印刷配線基板１３が、可動係合部材２１と係止部材２２とによって、ハウジング１１に対する予め定められた差込み位置を維持すべく係止された状態におかれる。
【００４７】
このようにして、ハウジング１１に板状部材差込み部１２を通じて差し込まれたフレキシブル印刷配線基板１３がハウジング１１に対する予め定められた差込み位置を維持すべく係止されたもとにおいては、図１５に示されるように、ハウジング１１に配列配置された複数のコンタクト１４の夫々が、それにおける上方ビーム部１８の先端部分に形成された接点部１８ａが、ハウジング１１に差し込まれたフレキシブル印刷配線基板１３における複数の接触端子部１５のうちの対応するものに接触接続された状態におかれ、その状態が安定に維持される。それにより、ハウジング１１に差し込まれたフレキシブル印刷配線基板１３における接触端子部１５が、コンタクト１４を介して、ハウジング１１が配された主配線基板に設けられた配線端子に確実かつ安定に連結されることになる。
【００４８】
その後、図１６に示されるように、フレキシブル印刷配線基板１３との係合連結状態におかれた可動係合部材２１に対する係合係止を行う係止位置をとるものとされた係止部材２２における操作部３６の背面側端部に、例えば、ハウジング１１における上方平板状部１１ｄから下方平板状部１１ｃに向かう方向の押圧操作が加えられると、係止部材２２が、操作部３６に設けられてハウジング１１における切欠き部３５に設けられた一対の軸受孔に夫々挿入される一対の回動軸３８を回動中心として、係合部３７をハウジング１１の下方平板状部１１ｃから離隔させる方向に移動させるように回動せしめられる。それにより、係止部材２２における係合部３７が可動係合部材２１における係合受部２６との係合を解除し、係止部材２２が、フレキシブル印刷配線基板１３との係合連結状態におかれた可動係合部材２１に対する係合係止を解除する係止解除位置をとるものとされる。その結果、可動係合部材２１を、フレキシブル印刷配線基板１３との係合連結状態を解除し得る状態におき、ハウジング１１に差し込まれたフレキシブル印刷配線基板１３を、ハウジング１１から適正に抜脱され得る状態におくことができることになる。
【００４９】
可動係合部材２１がフレキシブル印刷配線基板１３との係合連結状態を解除する際には、当該可動係合部材２１が、フレキシブル印刷配線基板１３と共にフレキシブル印刷配線基板１３のハウジング１１からの抜出し方向に沿って移動せしめられる。それにより、可動係合部材２１における可動係止部２５が有する可動腕状部分２７が、ハウジング１１における上方平板状部１１ｄの内面側部分に当接しなくなって、ハウジング１１における上方平板状部１１ｄに形成された切欠き部２９内を、係合突起部分２８と共に可動係合部材２１における本体部２３から離隔する方向に揺動変位し、係合突起部分２８がフレキシブル印刷配線基板１３に設けられた切欠き係合部３０との係合を解除するものとされる。
【００５０】
なお、上述の例にあっては、フレキシブル印刷配線基板１３が一対の切欠き係合部３０が設けられたものとされているが、フレキシブル印刷配線基板１３は、一対の切欠き係合部３０に代えて、各々に可動係合部材２１における可動係止部２５が有する係合突起部分２８が係合する状態がとられる一対の係合孔が設けられたものとされてもよく、斯かる場合にも、上述と同様にして、可動係合部材２１と係止部材２２とによるフレキシブル印刷配線基板１３に対する係止及び係止の解除が行われる。
【００５１】
上述のようなコネクタ装置１０によれば、ハウジング１１にそれに設けられた板状部材差込み部１２を通じて差し込まれたフレキシブル印刷配線基板１３が、係合係止手段を形成する可動係合部材２１と係止部材２２とによって係止され、ハウジング１１からの不所望な抜脱が阻止される状態を、例えば、先ずフレキシブル印刷配線基板をハウジングに差し込み、次にハウジングに対して回動可能とされたアクチュエータを回動させるというような二段階の操作を必要とすることなく、フレキシブル印刷配線基板１３をハウジング１１に差し込むだけの操作をもって、確実に得ることができる。その際、可動係合部材２１が、ハウジング１１に差し込まれるフレキシブル印刷配線基板１３と共にフレキシブル印刷配線基板１３のハウジング１１への差込み方向に沿って移動してフレキシブル印刷配線基板１３との係合連結状態を自動的にとるとともに、係止部材２２が、ハウジング１１に対して回動変位して、フレキシブル印刷配線基板１３との係合連結状態におかれた可動係合部材２１に対する係止を行う係止位置を自動的にとるので、可動係合部材２１と係止部材２２とによるフレキシブル印刷配線基板１３に対する係止が、極めて容易かつ円滑に行われることになる。
【００５２】
また、係合係止手段を形成する可動係合部材２１と係止部材２２とによるフレキシブル印刷配線基板１３に対する係止を解除して、フレキシブル印刷配線基板１３をハウジング１１から抜脱され得るものとするにあたっては、係止部材２２にハウジング１１に対する回動変位を生じさせる操作を加えるだけで、係止部材２１に可動係合部材２１との係合を解除させて、可動係合部材２１をフレキシブル印刷配線基板１３と共にフレキシブル印刷配線基板１３のハウジング１１からの抜出し方向に沿って移動してフレキシブル印刷配線基板１３との係合連結状態を解除するものとなすことができる。従って、係合係止手段に簡単で容易な操作を加えることにより、ハウジング１１に差し込まれたフレキシブル印刷配線基板１３をハウジング１１から適正に抜脱され得る状態におくことができることになる。
【産業上の利用可能性】
【００５３】
以上のような本発明に係るコネクタ装置は、板状部材差込み部が設けられたハウジングと、ハウジングに配列配置されて設けられる複数のコンタクトと、ハウジングに設けられ、配線板状部材がハウジングに差し込まれたとき、配線板状部材に対する係止状態と係止解除状態とを選択的にとる係合係止手段とを備えたコネクタ装置であって、係合係止手段によりハウジングに差し込まれた配線板状部材のハウジングからの不所望な抜脱が阻止される状態を、配線板状部材をハウジングに差し込むだけの操作をもって、確実に得ることができ、さらには、係合係止手段に簡単で容易な操作を加えることにより、ハウジングに差し込まれた配線板状部材をハウジングから適正に抜脱され得る状態におくことができるものとして、様々な電子機器等に広く適用され得るものである。
【符号の説明】
【００５４】
１０・・・コネクタ装置，  １１・・・ハウジング，  １１ａ・・・正面側端面部，  １１ｂ・・・背面側端面部，  １１ｃ・・・下方平板状部，  １１ｄ・・・上方平板状部，  １２・・・板状部材差込み部，  １３・・・フレキシブル印刷配線基板，  １４・・・コンタクト，  １５・・・接触端子部，  １６・・・（コンタクト１４の）固定部，  １７・・・下方ビーム部，  １８・・・上方ビーム部，  １８ａ・・・接点部，  １９・・・接続端子部，  ２０，３１・・・溝，  ２１・・・可動係合部材，  ２２・・・係止部材，  ２３・・・（可動係合部材２１の）本体部，  ２４・・・板状部材受部，  ２５・・・可動係止部，  ２６・・・係合受部，  ２７・・・可動腕状部分，  ２８・・・係合突起部分，  ２９，３５・・・切欠き部，  ３０・・・切欠き係合部，  ３２，３３・・・移動規制部，  ３６・・・操作部，  ３７・・・係合部，  ３８・・・回動軸，  ４０・・・端子配列部
【図１】
0005896229.tif 000002
【図２】
0005896229.tif 000003
【図３】
0005896229.tif 000004
【図４】
0005896229.tif 000005
【図５】
0005896229.tif 000006
【図６】
0005896229.tif 000007
【図７】
0005896229.tif 000008
【図８】
0005896229.tif 000009
【図９】
0005896229.tif 000010
【図１０】
0005896229.tif 000011
【図１１】
0005896229.tif 000012
【図１２】
0005896229.tif 000013
【図１３】
0005896229.tif 000014
【図１４】
0005896229.tif 000015
【図１５】
0005896229.tif 000016
【図１６】
0005896229.tif 000017